【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
ユーザにより選択指示された放送番組の信号が含まれる搬送波成分を選択するチューナ部と、
前記チューナ部で選択された搬送波成分を復調し、トランスポートストリームを出力するフロントエンド部と、
前記フロントエンド部からの前記トランスポートストリームからユーザの選択指示に応じた放送番組の圧縮データを抽出する選択番組抽出部と、
前記選択番組抽出部により抽出される前記圧縮データを圧縮解凍し、放送番組を提供するための信号を出力する圧縮解凍処理部と、
入力データを予め用意された文字、図形、記号などの表示データに変換して、前記入力データに基づく画像を提供するための信号を生成するグラフィックス処理部と、
前記圧縮解凍部と、前記グラフィックス処理部とにより兼用され、少なくとも１画面分の画像データの蓄積が可能な記憶容量を有する作業用メモリと
を有するデジタルテレビ放送受信装置において、
前記選択番組抽出部は、ユーザからの選択指示に応じて、前記トランスポートストリームに含まれる提供情報を抽出することができるものであり、
前記選択番組抽出部により抽出された前記提供情報の供給を受けて、前記提供情報を前記グラフィックス処理部に入力可能な形式の入力データに変換して、前記グラフィックス処理部に供給するデータ変換部を備え、
前記グラフィックス処理部は、前記作業用メモリを作業領域として用いて、前記データ変換部からの前記入力データから前記提供情報に応じた画像を提供するための画像データを生成することを特徴とするデジタルテレビ放送受信装置。
【請求項２】
前記フロントエンド部では、復調と共に、エラー訂正処理も行うことを特徴とする請求項１に記載のデジタルテレビ放送受信装置。
【請求項３】
前記トランスポートストリームには、当該トランスポートストリームに多重化されている複数の放送番組についての番組表を表示するための番組表データが多重化されており、
前記選択番組抽出部は、ユーザの選択指示に基づいて、前記トランスポートストリームから前記番組表データを抽出して前記グラフィックス処理部に供給し、
前記グラフィックス処理部は、前記番組表データを表示データに変換して、前記番組表を表示するための画像データを生成することを特徴とする請求項１に記載のデジタルテレビ放送受信装置。
【請求項４】
前記提供情報は、所定の言語で作成されたものであり、
前記データ変換部は、前記提供情報の解析処理を行なって、前記提供情報から前記グラフィックス処理部に入力可能な形式の入力データを生成することを特徴とする請求項１に記載のデジタルテレビ放送受信装置。
【請求項５】
前記提供情報は、画像情報を含むプログラムであり、
前記データ変換部は、前記プログラムを実行し、前記画像情報を用いて前記グラフィックス処理部に入力可能な形式の入力データを生成することを特徴とする請求項１に記載のデジタルテレビ受信装置。
【請求項６】
外部メモリを接続するためのコネクタと、
前記コネクタを通じて接続される前記外部メモリからの情報を取り込むためのインターフェース回路と
を設け、
前記データ変換部は、前記コネクタに接続される外部メモリから、前記選択番組抽出部により抽出される前記提供情報から前記グラフィックス処理部に入力可能な形式の入力データを生成するためのプログラムを取り込んで実行することにより、前記入力データを生成することを特徴とする請求項１、請求項２、請求項３、請求項４または請求項５に記載のデジタルテレビ放送受信装置。
【請求項７】
前記外部メモリは、前記インターフェース回路に対し着脱可能であることを特徴とする請求項６に記載のデジタルテレビ放送受信装置。
【請求項８】
前記外部メモリは、フラッシュメモリであることを特徴とする請求項６に記載のデジタルテレビ放送受信装置。
【請求項９】
前記外部メモリは、各種の電子機器に着脱可能であり、データの書き換えが可能であることを特徴とする請求項６に記載のデジタルテレビ放送受信装置。
【手続補正２】
【補正対象書類名】明細書
【補正対象項目名】００１０
【補正方法】変更
【補正の内容】
【００１０】
【課題を解決するための手段】
上記課題を解決するため、第１の発明のデジタルテレビ放送受信装置は、
ユーザにより選択指示された放送番組の信号が含まれる搬送波成分を選択するチューナ部と、
前記チューナ部で選択された搬送波成分を復調し、トランスポートストリームを出力するフロントエンド部と、
前記フロントエンド部からの前記トランスポートストリームからユーザの選択指示に応じた放送番組の圧縮データを抽出する選択番組抽出部と、
前記選択番組抽出部により抽出される前記圧縮データを圧縮解凍し、放送番組を提供するための信号を出力する圧縮解凍処理部と、
入力データを予め用意された文字、図形、記号などの表示データに変換して、前記入力データに基づく画像を提供するための信号を生成するグラフィックス処理部と、
前記圧縮解凍部と、前記グラフィックス処理部とにより兼用され、少なくとも１画面分の画像データの蓄積が可能な記憶容量を有する作業用メモリと
を有するデジタルテレビ放送受信装置において、
前記選択番組抽出部は、ユーザからの選択指示に応じて、前記トランスポートストリームに含まれる提供情報を抽出することができるものであり、
前記選択番組抽出部により抽出された前記提供情報の供給を受けて、前記提供情報を前記グラフィックス処理部に入力可能な形式の入力データに変換して、前記グラフィックス処理部に供給するデータ変換部を備え、
前記グラフィックス処理部は、前記作業用メモリを作業領域として用いて、前記データ変換部からの前記入力データから前記提供情報に応じた画像を提供するための画像データを生成することを特徴とする。
【手続補正３】
【補正対象書類名】明細書
【補正対象項目名】００１１
【補正方法】変更
【補正の内容】
【００１１】
この第１の発明のデジタルテレビ放送受信装置によれば、チューナ部により選択されるデジタルテレビ放送の搬送波成分（キャリア）は、複数の放送番組の圧縮データ、Ｗｅｂページやゲームプログラムなどのテレビ放送番組の圧縮データ以外の提供情報などが多重化されたものである。このデジタルテレビ放送のキャリアは、フロントエンド部に供給され、ここで復調され、トランスポートストリームにされる。このトランスポートストリームは、選択番組抽出部に供給される。
【手続補正４】
【補正対象書類名】明細書
【補正対象項目名】００１７
【補正方法】変更
【補正の内容】
【００１７】
また、第２の発明のデジタルテレビ放送受信装置は、上記第１の発明のデジタルテレビ放送受信装置であって、
前記トランスポートストリームには、当該トランスポートストリームに多重化されている複数の放送番組についての番組表を表示するための番組表データが多重化されており、
前記選択番組抽出部は、ユーザの選択指示に基づいて、前記トランスポートストリームから前記番組表データを抽出して前記グラフィックス処理部に供給し、  前記グラフィックス処理部は、前記番組表データを表示データに変換して、前記番組表を表示するための画像データを生成することを特徴とする。
【手続補正５】
【補正対象書類名】明細書
【補正対象項目名】００１８
【補正方法】変更
【補正の内容】
【００１８】
この第２の発明のデジタルテレビ放送受信装置によれば、デジタルテレビ放送のキャリアには、複数のテレビ放送番組の圧縮データや提供情報が多重化されているとともに、例えば、多重化されている複数のテレビ放送番組の番組表を表示するための番組表データも多重化されている。
【手続補正６】
【補正対象書類名】明細書
【補正対象項目名】００２３
【補正方法】変更
【補正の内容】
【００２３】
また、第３の発明のデジタルテレビ放送受信装置は、上記第１の発明のデジタルテレビ放送受信装置であって、
前記提供情報は、所定の言語で作成されたものであり、
前記データ変換部は、前記提供情報の解析処理を行なって、前記提供情報から前記グラフィックス処理部に入力可能な形式の入力データを生成することを特徴とする。
【手続補正７】
【補正対象書類名】明細書
【補正対象項目名】００２４
【補正方法】変更
【補正の内容】
【００２４】
この第３の発明のデジタルテレビ放送受信装置によれば、例えば、ＨＴＭＬで作成されたＷｅｂページなど、所定の言語で作成された提供情報がデジタルテレビ放送により提供される。
【手続補正８】
【補正対象書類名】明細書
【補正対象項目名】００２７
【補正方法】変更
【補正の内容】
【００２７】
また、第４の発明のデジタルテレビ放送受信装置は、上記第１の発明のデジタルテレビ放送受信装置であって、
前記提供情報は、画像情報を含むプログラムであり、
前記データ変換部は、前記プログラムを実行し、前記画像情報を用いて前記グラフィックス処理部に入力可能な形式の入力データを生成することを特徴とする。
【手続補正９】
【補正対象書類名】明細書
【補正対象項目名】００２８
【補正方法】変更
【補正の内容】
【００２８】
この第４の発明のデジタルテレビ放送の受信装置によれば、例えば、ゲームプログラムなどの画像情報を含むプログラムが提供情報として、デジタルテレビ放送により提供される。
【手続補正１０】
【補正対象書類名】明細書
【補正対象項目名】００３２
【補正方法】変更
【補正の内容】
【００３２】
また、第５の発明のデジタルテレビ放送受信装置は、上記第１、第２、第３、第４の発明のデジタルテレビ放送受信装置であって、
外部メモリを接続するためのコネクタと、
前記コネクタを通じて接続される前記外部メモリからの情報を取り込むためのインターフェース回路と
を設け、
前記データ変換部は、前記コネクタに接続される外部メモリから、前記選択番組抽出部により抽出される前記提供情報から前記グラフィックス処理部に入力可能な形式の入力データを生成するためのプログラムを取り込んで実行することにより、前記入力データを生成することを特徴とする。
【手続補正１１】
【補正対象書類名】明細書
【補正対象項目名】００３３
【補正方法】変更
【補正の内容】
【００３３】
この第５の発明のデジタルテレビ放送受信装置によれば、選択番組抽出部により抽出される提供情報からグラフィックス処理部に入力可能な形式の入力データを生成するために、データ変換部において実行されるプログラムは、コネクタとインターフェース回路を通じて接続される外部メモリから取り込んで実行するようにされる。
【手続補正１２】
【補正対象書類名】明細書
【補正対象項目名】０１１９
【補正方法】変更
【補正の内容】
【０１１９】
【発明の効果】
以上説明したように、第１の発明のデジタルテレビ受信装置によれば、専用の作業用メモリを搭載することなく、デジタルテレビ放送により提供される提供情報を利用できるようにすることができる。したがって、提供情報を利用するために新たに作業用メモリを追加することがないので、デジタルテレビ放送受信装置のコストが高くなることを防止することができる。
【手続補正１３】
【補正対象書類名】明細書
【補正対象項目名】０１２０
【補正方法】変更
【補正の内容】
【０１２０】
また、第２の発明のデジタルテレビ放送の受信装置によれば、圧縮処理、提供情報の表示処理、番組表の表示処理を行うためにそれぞれ別個の作業領域を設ける必要がなく、また、提供情報の表示処理、番組表の表示処理を行うためにそれぞれ別個のグラフィックス処理部を設ける必要がないようにすることができる。したがって、デジタルテレビ放送の受信装置の構成をより簡単な構成とすることが可能となり、受信装置の価格が高くなることを防止することができる。
【手続補正１４】
【補正対象書類名】明細書
【補正対象項目名】０１２１
【補正方法】変更
【補正の内容】
【０１２１】
また、第３の発明のデジタルテレビ放送の受信装置によれば、デジタルテレビ放送により提供されるＷｅｂページなどの所定の言語で作成された提供情報を利用するようにすることができる。また、提供情報を表示するために専用の作業用メモリやグラフィックス処理回路を搭載する必要はないので、デジタルテレビ放送の受信装置が高価になることが防止できるとともに、提供情報を利用するための機能を比較的簡単に実現することができる。
【手続補正１５】
【補正対象書類名】明細書
【補正対象項目名】０１２２
【補正方法】変更
【補正の内容】
【０１２２】
また、第４の発明のデジタルテレビ放送の受信装置によれば、デジタルテレビ放送により提供されるゲームプログラムなどのプログラムを実行し、利用することができる。また、この場合にも、プログラム中で使用される画像を表示するために、専用の作業用メモリやグラフィックス処理回路を搭載する必要はないので、デジタルテレビ放送の受信装置が高価になることが防止できるとともに、ゲームプログラムなどの画像情報を含む提供情報を利用するための機能を比較的簡単に実現することができる。
【手続補正１６】
【補正対象書類名】明細書
【補正対象項目名】０１２３
【補正方法】変更
【補正の内容】
【０１２３】
また、第５の発明のデジタルテレビ受信装置によれば、提供情報から提供情報に応じた画像を表示するための映像信号を生成するプログラムが搭載されていないデジタルテレビ放送の受信装置であっても、当該プログラムが記憶された外部メモリを用いて、機能を追加することにより、デジタルテレビ放送により提供される提供情報を利用する機能を簡単に追加することができる。